【手続補正書】
【提出日】平成20年11月12日(2008.11.12)
【手続補正１】
【補正対象書類名】特許請求の範囲
【補正対象項目名】全文
【補正方法】変更
【補正の内容】
【特許請求の範囲】
【請求項１】
不特定の利用者が集まる場所に設置された販売機で実行されるコンテンツ供給方法であって、
前記販売機は、利用者の所持する情報端末との間で無線通信を介して接続可能に構成された送受信部と、複数のコンテンツを格納する記憶部と、課金認証を行う決済部と、利用者に対し情報を表示する表示部と、利用者が指示を入力する入力部とを備え、
前記送受信部は、前記不特定の利用者が集まる場所の通信圏内に無線通信を介して当該販売機の存在を通知する報知信号を発信しており、前記情報端末は、前記ソフトウェアコンテンツが利用可能に構成されており、それぞれ前記通信圏内に入ったとき前記報知信号を受信して該情報端末に設けられた報知部を起動して該情報端末を所持する利用者に前記販売機の存在を通知するように構成されており、
前記販売機は、前記報知信号を受信した前記通信圏内にある前記情報端末のそれぞれから受信する当該情報端末を特定する端末識別情報を前記記憶部に格納し、
前記販売機は、前記端末識別情報を送信した情報端末を所持する利用者のいずれかが前記販売機の前に到着し行う操作に応じて、
前記記憶部に格納された前記端末識別情報のうち前記販売機と通信可能な状態にある前記情報端末の前記端末識別情報の一覧を前記表示部を介して表示し、
前記端末識別情報のうちいずれかの端末識別情報が選択されたとき、該選択された端末識別情報が当該利用者の所有する前記情報端末の端末識別情報であるとして特定し、
前記複数のコンテンツと各コンテンツの対価情報を前記表示部を介して表示し、
前記複数のコンテンツのうちいずれかのコンテンツを選択させ、
前記決済部において、該選択されたコンテンツに対応する対価の支払いに対する課金認証を行い、前記選択された端末識別情報に関連付けて課金額の決済を行い、
前記課金認証により入金が確認されると、前記選択された端末識別情報に基づき特定された情報端末へ、前記選択されたコンテンツを前記記憶部から読み出し前記無線通信を介して送信して供給する
ことを特徴とするコンテンツ供給方法。
【請求項２】
前記複数のコンテンツは、アプリケーションプログラム毎に提供されるものであり、
前記情報端末のそれぞれは、前記アプリケーションプログラムが実行可能に構成されており、前記報知情報を受信した情報端末は、更に、前記アプリケーション情報を前記販売機へ送信し、
前記販売機は、前記情報端末より受信する前記アプリケーション情報を前記端末識別情報と対応付けて情報供給端末の記憶部に格納し、前記選択された端末識別情報に対応するアプリケーション情報によりアプリケーションプログラムを特定し、前記特定されたアプリケーションプログラムに対応する複数のコンテンツと各コンテンツの対価情報を、前記表示部を介して表示することを特徴とする請求項１記載のコンテンツ供給方法。
【請求項３】
前記通信圏内に入った複数の情報端末が互いに前記販売機を介して通信可能に設定されているとき、前記販売機の前で操作する前記利用者に前記複数の情報端末のそれぞれの端末識別情報をグループとして登録することを許可し、当該グループとして登録された利用者のそれぞれに前記選択されたコンテンツが送信されることを特徴とする請求項１または２記載のコンテンツ供給方法。
【請求項４】
不特定の利用者が集まる場所に設置されたコンテンツ販売機であって、
複数のコンテンツと前記複数のコンテンツの対価情報が格納された記憶部と、利用者に情報を提示する表示部と、利用者が指示を入力する入力部と、課金認証を行う決済部と、利用者の所持する情報端末との間で無線通信を介して接続可能に構成された送受信部と、を備え、
前記送受信部は、前記不特定の利用者が集まる場所の通信圏内に無線通信を介して当該販売機の存在を通知する報知信号を発信しており、前記情報端末は、前記コンテンツが利用可能に構成されており、それぞれ前記通信圏内に入ったとき前記報知信号を受信して該情報端末に設けられた報知部を起動して該情報端末を所持する利用者に前記販売機の存在を通知するように構成されており、
前記販売機は、前記報知信号を受信した前記通信圏内にある前記情報端末のそれぞれが送信する端末識別情報を受信して前記記憶部に格納するように構成されており、
前記端末識別情報を送信した情報端末を所持する利用者のいずれかが前記販売機の前に到着し行う操作に応じて、
前記表示部に前記コンテンツに関するメニューを提示する処理と、
前記表示部に表示された前記コンテンツのうちから利用者の希望するコンテンツを選択させる処理と、
前記記憶部に格納された前記端末識別情報のうち前記販売機と通信可能な状態にある前記情報端末の前記端末識別情報の一覧を、前記表示部を介して表示する処理と、
表示された前記端末識別情報のうちいずれかの端末識別情報が選択されたとき、該選択された端末識別情報が当該利用者の所有する情報端末の端末識別情報として決定する処理と、
前記決済部において、該選択されたコンテンツに対応する対価の支払いに対する課金認証を行い、前記選択された識別情報に関連付けて課金額の決済を行う処理と、
前記選択されたコンテンツを前記記憶部から読み出し前記選択された端末識別情報に基づき特定された情報端末へ前記無線通信を介して送信する処理と、
を実行するように構成されたことを特徴とするコンテンツ販売機。
【請求項５】
不特定の利用者が集まる場所に設置されたソフトウェアコンテンツ販売機であって、
前記販売機は、ソフトウェアコンテンツが格納された記憶部と、利用者の所持する情報端末との間で無線通信を介して接続可能に構成された送受信部と、課金認証を行う決済部と、利用者の操作によって情報が入力される入力部と、利用者に情報を提示する表示部と、を備え、
前記送受信部は、前記不特定の利用者が集まる場所の通信圏内に無線通信を介して当該販売機の存在を通知する報知信号を発信し、前記情報端末は、それぞれ前記通信圏内に入ったとき前記報知信号を受信して該情報端末に設けられた報知部を起動して該情報端末を所持する利用者に前記販売機の存在を通知するように構成されており、
前記販売機は、前記報知信号を受信した前記通信圏内にある前記情報端末のそれぞれから送られてくる当該情報端末を特定する識別情報を前記記憶部に格納するように構成されており、
前記販売機は、前記識別情報を送信した前記情報端末を所持する利用者のいずれかが前記販売機の前に到着し前記入力部を介して行う操作に応じて、
前記表示部に前記ソフトウェアコンテンツに関するメニューを提示する処理と、
利用者の希望するソフトウェアコンテンツを選択させる処理と、
前記記憶部に識別情報が格納されている複数の情報端末のうち前記販売機と通信可能な状態にある情報端末の識別情報の一覧を提示する処理と、
前記販売機の前で操作する利用者の所持する情報端末に対応する識別情報を選択させる処理と、
前記決済部において、前記利用者によって投入された前記選択されたソフトウェアコンテンツに対する課金額を読み出し、前記選択された識別情報に関連付けて課金額の決済を行う処理と、
前記課金額の決済が行われたとき、前記選択されたソフトウェアコンテンツを前記記憶部から読み出し前記識別情報によって特定される前記情報端末に前記無線通信を介して送信する処理と、
を実行するように構成されてなることを特徴とするコンテンツ販売機。
【請求項６】
前記情報端末のそれぞれはアプリケーションプログラムが実行可能に構成されており、該アプリケーションプログラムを特定するアプリケーション情報を前記識別情報に対応付けて前記記憶部に格納され、前記アプリケーション情報で特定されるアプリケーションプログラムで使用可能なコンテンツのメニューが前記表示部に表示されることを特徴とする請求項４または５記載のコンテンツ販売機。
【請求項７】
前記通信圏内に入った複数の情報端末が互いに前記販売機を介して通信可能に設定されているとき、前記販売機の前で操作する前記利用者に前記複数の情報端末のそれぞれの識別情報をグループとして登録することを許可し、当該グループとして登録された利用者のそれぞれに前記選択されたコンテンツが送信されることを特徴とする請求項４乃至６のいずれか記載のコンテンツ販売機。